(57)【特許請求の範囲】
【請求項１】
画像データを表示する表示装置であって、
前記画像データを矩形状にして画面に表示するタッチパネルと、
前記タッチパネルの押下時間を計測する押下時間計測部と、
前記押下時間計測部により計測された前記押下時間が所定の時間よりも長いか否かを判断する判断部と、
前記判断部により前記押下時間が前記所定の時間よりも長いと判断されれば、矩形状の前記画像データの対角線方向に延びる仮想線を表示する仮想線表示部と、
前記仮想線表示部により表示された前記仮想線が押下された状況に応じて、前記タッチパネルに表示された前記画像データの表示態様を変更する表示態様変更部と、
前記仮想線の表示を消去する仮想線消去部とを備える、表示装置。
【請求項２】
前記表示態様変更部は、前記仮想線上の押下された位置に、矩形状に表示された前記画像データの角が位置するよう前記画像データを拡大、または縮小して表示する、請求項１に記載の表示装置。
【請求項３】
前記表示態様変更部は、前記仮想線上の押下された位置からスライドされた方向に前記画像データを回転させて表示する、請求項１または２に記載の表示装置。
【請求項４】
前記仮想線消去部は、仮想線以外の領域の押下を検知すれば、前記仮想線の表示を消去する、請求項１〜３のいずれか１項に記載の表示装置。
【請求項５】
前記仮想線表示部は、矩形状の前記画像データのうち、左上の角から右下の角に向かって延びるように前記仮想線を表示する、請求項１〜４のいずれか１項に記載の表示装置。
【請求項６】
前記仮想線は、破線を含む、請求項１〜５のいずれか１項に記載の表示装置。
【請求項７】
画像データを処理する画像処理部と、
請求項１〜６のいずれか１項に記載の表示装置とを備える、画像処理装置。
【発明の詳細な説明】
【技術分野】
【０００１】
この発明は、表示装置、および画像処理装置に関するものである。
【背景技術】
【０００２】
複合機等に代表される画像処理装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させて印刷し、装置外に排出する。
【０００３】
画像処理装置には、読み取った画像データやサムネイル画像データを表示する表示装置としてのタッチパネルが設けられているものがある。ユーザーは、タッチパネルを介して、画像形成の条件を入力したり、用紙に出力される画像の確認等を行う。ここで、画面に表示された画像データの拡大等に関する技術が、特開２００６−８５２４５号公報（特許文献１）、および特開２０１２−９０７８５号公報（特許文献２）に開示されている。
【先行技術文献】
【特許文献】
【０００４】
【特許文献１】特開２００６−８５２４５号公報
【特許文献２】特開２０１２−９０７８５号公報
【発明の概要】
【発明が解決しようとする課題】
【０００５】
タッチパネルに表示された画像データについて拡大や縮小を行う場合、例えば、タッチパネルに表示されるか、またはタッチパネルに備え付けられたプラス（＋）ボタンやマイナス（−）ボタンを何度か押下して、所望のサイズの画像データを表示させる。ここで、ボタンの１回の押下により拡大、または縮小される単位は予め定まっているため、大きく拡大したい場合や極めて小さくしたい場合には、押下する操作の数が増えることとなる。そうすると、ユーザーの操作の煩雑さを助長することにもなりかねない。すなわち、操作性向上の観点から、ユーザーにとって、タッチパネルに表示された画像データについて、その表示態様を容易に変更できることが求められる。しかし、特許文献１および特許文献２に開示に技術では、対応することができない。
【０００６】
この発明の目的は、より容易に画像データの表示態様を変更することができる表示装置を提供することである。
【０００７】
この発明の他の目的は、より操作性を向上した画像処理装置を提供することである。
【課題を解決するための手段】
【０００８】
この発明の一つの局面においては、表示装置は、画像データを表示する表示装置であって、タッチパネルと、押下時間計測部と、判断部と、仮想線表示部と、表示態様変更部と、仮想線消去部とを備える。タッチパネルは、画像データを矩形状にして画面に表示する。押下時間計測部は、タッチパネルの押下時間を計測する。判断部は、押下時間計測部により計測された押下時間が所定の時間よりも長いか否かを判断する。仮想線表示部は、判断部により押下時間が所定の時間よりも長いと判断されれば、矩形状の画像データの対角線方向に延びる仮想線を表示する。表示態様変更部は、仮想線表示部により表示された仮想線が押下された状況に応じて、タッチパネルに表示された画像データの表示態様を変更する。仮想線消去部は、仮想線の表示を消去する。
【０００９】
この発明の他の局面においては、画像処理装置は、画像データを処理する画像処理部と、上記した表示装置とを備える。
【発明の効果】
【００１０】
このような表示装置によると、画像データに対して仮想線を表示させ、この仮想線に対して操作して、表示態様を変更する。そうすると、例えば、画像データの拡大や縮小を行う際に、何度も操作キー等を押下しなくとも、所望のサイズで画像データを表示させることができる。したがって、このような表示装置は、より容易に画像データの表示態様を変更することができる。
【００１１】
また、このような画像処理装置によると、より操作性を向上することができる。
【図面の簡単な説明】
【００１２】
【図１】この発明の一実施形態に係る画像処理装置を複合機に適用した場合の複合機の外観を示す概略斜視図である。
【図２】図１に示す複合機の構成を示すブロック図である。
【図３】操作部の概略的な構成を示す外観図である。
【図４】制御部の構成を示すブロック図である。
【図５】タッチパネルに表示された画像データのサイズを変更する場合の処理の流れを示すフローチャートである。
【図６】タッチパネルの表示の一例を示す図である。
【図７】タッチパネルの表示の一例を示す図である。
【図８】タッチパネルの表示の一例を示す図である。
【図９】タッチパネルの表示の一例を示す図である。
【図１０】タッチパネルの表示の一例を示す図である。
【図１１】タッチパネルの表示の一例を示す図である。
【発明を実施するための形態】
【００１３】
以下、この発明の実施の形態について説明する。図１は、この発明の一実施形態に係る画像処理装置を複合機に適用した場合の複合機の外観を示す図である。図２は、図１に示す複合機の構成を示すブロック図である。
【００１４】
図１および図２を参照して、この発明の一実施形態に係る複合機１１は、制御部１２と、表示装置としての操作部１３と、画像読み取り部１４と、画像データを処理する画像処理部としての画像形成部１５と、記憶部としてのハードディスク１６と、ファクシミリ通信部１７と、ネットワーク２５と接続するためのネットワークインターフェース部１８とを備える。
【００１５】
制御部１２は、複合機１１全体の制御を行う。操作部１３は、複合機１１側から発信される情報やユーザーの入力内容を表示する表示画面としてのタッチパネル２１を含む。操作部１３は、印刷部数や階調等の画像形成の条件や電源のオンまたはオフを入力させる。画像形成の条件等については、タッチパネル２１の所定の箇所を押下または接触することにより、タッチパネル２１を介して入力することもできる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。画像形成部１５は、トナーにより可視画像を形成する現像装置２３を含む。画像形成部１５は、画像読み取り部１４により読み取られた画像データやネットワーク２５を介して送信された画像データを基に、搬送されてきた用紙に画像を形成する。ハードディスク１６は、送信された画像データや入力された画像形成条件等の格納を行う。ファクシミリ通信部１７は、公衆回線２４に接続されており、ファクシミリ送信やファクシミリ受信を行う。
【００１６】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１７】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１８】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記したタッチパネル２１とを含む。
【００１９】
次に、制御部１２の構成について、さらに詳細に説明する。図４は、制御部１２の構成を示すブロック図である。図４を参照して、制御部１２は、押下時間計測部４１と、判断部４２と、仮想線表示部４３と、表示態様変更部４４と、仮想線消去部４５とを備える。押下時間計測部４１は、タッチパネル２１の押下時間を計測する。判断部４２は、押下時間計測部４１により計測された押下時間が、所定の時間よりも長いか否かを判断する。仮想線表示部４３は、判断部４２により押下時間が所定の時間よりも長いと判断されれば、矩形状の画像データの対角線方向に延びる仮想線を表示する。表示態様変更部４４は、仮想線表示部４３により表示された仮想線が押下された状況に応じて、タッチパネル２１に表示された画像データの表示態様を変更する。仮想線消去部４５は、仮想線以外の領域の押下を検知すれば、仮想線の表示を消去する。これらについては、後述する。
【００２０】
次に、この発明の一実施形態に係る複合機１１を用いて、タッチパネル２１に表示された画像データのサイズを変更する場合について説明する。図５は、この発明の一実施形態に係る複合機１１を用いて、タッチパネル２１に表示された画像データのサイズを変更する場合の処理の流れを示すフローチャートである。
【００２１】
図５を参照して、操作部１３の表示画面であるタッチパネル２１には、例えば、ＡＤＦ２２を利用して画像読み取り部１４により読み取られた画像データが表示されている。ここでは、この画像データのサイズについて、ユーザーの要求に応じて拡大して表示する場合について説明する。
【００２２】
制御部１２は、画像読み取り部１４により読み取られた画像データ５１ａをタッチパネル２１に表示する（図５において、ステップＳ１１、以下、「ステップ」を省略する）。図６は、この場合のタッチパネル２１の表示の一例を示す図である。図６を参照して、画像データ５１ａは、例えば、複数の木と家屋が示された画像データ５１ａである。画像データ５１ａは、左右方向に長い矩形状である。画像データ５１ａは、タッチパネル２１の全域に対してやや左上方側に寄って、比較的小さく表示されている。
【００２３】
ここで、ユーザーは、画像データ５１ａのサイズを拡大するため、いわゆる長押しをする。具体的には、例えば、ユーザーは、タッチパネル２１に表示された画像データ５１ａの領域内の任意の箇所を押下する。そうすると、制御部１２は、ユーザーによるタッチパネル２１の押下を検知する（Ｓ１２）。
【００２４】
その後、押下時間計測部４１は、タッチパネル２１の押下時間を計測する。この場合、制御部１２内に設けられたタイマー（図示せず）を利用して、押下時間を計測する。
【００２５】
次に、判断部４２により、計測された押下時間が所定の時間よりも長いと判断されれば（Ｓ１３において、ＹＥＳ）、仮想線表示部４３は、仮想線５３ａを表示する（Ｓ１４）。なお、所定の時間については、予め複合機１１の管理者等によって設定されている時間であり、通常の操作、すなわち、例えば、画像形成の条件入力といった操作で要する押下時間よりも、幾分長い時間が設定される。具体的には、例えば、５秒〜１０秒の間の任意の値である。
【００２６】
図７は、この場合のタッチパネル２１の表示の一例を示す図である。図７を参照して、仮想線表示部４３は、タッチパネル２１に表示された矩形状の画像データ５１ａにおいて、左上の角５２ａから右下の角５２ｂに至る対角線の方向に延びる仮想線５３ａを表示する。仮想線５３ａについては、破線で示している。仮想線５３ａは、対角線よりも長く延びるように表示されている。この場合、タッチパネル２１の左上の角から右下の角まで延びるように表示されている。
【００２７】
その後、ユーザーは、画像データ５１ａのサイズを拡大しようとして、例えば、ユーザーの指で、仮想線５３ａ上のある位置５４ａを点で押下する。図８は、この場合のタッチパネル２１の表示の一例を示す図である。図８を参照して、ユーザーに押下された位置５４ａは、仮想線５３ａ上において、画像データ５１ａの表示されている領域よりも外側の領域の位置５４ａである。そうすると、表示態様変更部４４は、仮想線５３ａ上の位置５４ａが押下されたことを検知する（Ｓ１５において、ＹＥＳ）。
【００２８】
表示態様変更部４４は、仮想線５３ａ上の位置５４ａが押下されたことを検知すると、画像データ５１ａの表示態様を変更する。この場合、表示態様変更部４４は、画像データ５１ａについて、仮想線５３ａ上の押下された位置５４ａに画像データ５１ａの角、具体的には、右下の角５２ｂが位置するよう画像データ５１ａのサイズを拡大して表示する（Ｓ１６）。
【００２９】
図９は、この場合のタッチパネル２１の表示の一例を示す図である。図９を参照して、タッチパネル２１には、サイズの拡大された画像データ５１ｂが示されている。この画像データ５１ｂについては、表示態様変更部４４によって、右下の角５２ｃが、押下を検知した位置５４ａとなるよう拡大率が算出される。そして、算出された拡大率で、画像データ５１ａのサイズを拡大して形成される。
【００３０】
ユーザーは、このようにして拡大された画像データ５１ｂを表示させる。その後、必要に応じて、拡大率の微調節を行う。すなわち、仮想線５３ａ上の任意の点を押下して、ユーザーの要求する拡大率で拡大された画像データ５１ｂとする。この場合、仮想線５３ａ上において、画像データ５１ｂが表示された領域内の位置を押下すると、画像データ５１ｂのサイズが縮小されることとなる。
【００３１】
ユーザーの要求する拡大率で拡大された画像データ５１ｂが表示されると、ユーザーは、仮想線５３ａを消去すべく、仮想線５３ａ以外の領域を押下する。図１０は、この場合のタッチパネル２１の一例を示す図である。図１０を参照して、ユーザーは、仮想線５３ａ以外の領域である位置５４ｂを点で押下する。仮想線消去部４５は、仮想線５３ａ以外の領域の押下を検知すれば（Ｓ１７において、ＹＥＳ）、仮想線５３ａの表示を消去する（Ｓ１８）。このようにして処理を終了する。一方、Ｓ１３において、判断部４２により押下時間が所定の時間よりも長くないと判断されれば（Ｓ１３において、ＮＯ）、押下された位置に表示されたアイコン等の内容に応じた処理を実行する（Ｓ１９）。
【００３２】
このような構成の複合機１１によれば、画像データ５１ａに対して仮想線５３ａを表示させ、この仮想線５３ａに対して操作して、表示態様を変更する。そうすると、例えば、画像データ５１ａの拡大や縮小を行う際に、何度も操作キー等を押下しなくとも、所望のサイズで画像データ５１ａを表示させることができる。したがって、このような複合機１１は、より容易に画像データ５１ａの表示態様を変更することができる。
【００３３】
なお、上記の実施の形態においては、画像データ５１ａの表示態様の変更として、画像データ５１ａの拡大または縮小を行うこととしたが、これに限らず、画像データ５１ｂを回転させて、表示態様を変更するようにしてもよい。
【００３４】
図１１は、この場合のタッチパネル２１の表示の一例を示す図である。図１１を参照して、画像データ５１ｂについて、ユーザーは、押下された位置５４ａから矢印Ｄ１で示す方向に指をスライドさせて、押下された位置を５４ｂに移動させたとする。そうすると、表示態様変更部４４は、仮想線５３ａ上の押下された位置５４ａからスライドされた方向に画像データ５１ｂを回転させて表示する。この場合の回転の中心は、画像データ５１ｂの中心である。
【００３５】
こうすることにより、画像データの５１ｂの拡大、縮小のみならず、回転も容易に行うことができる。また、拡大、および縮小に加えて、画像データ５１ｂを回転させて、よりユーザーの要求に沿った表示とすることができる。
【００３６】
なお、図１１中の破線で示され、回転に伴ってタッチパネル２１の表示の領域外となった部分５５については、対応する領域の画像データ５１ｂを削除するようにしてもよい。すなわち、表示態様変更部４４は、タッチパネル２１の領域外の部分５５の画像データ５１ｂを削除するよう変更する。こうすることにより、より効率的な画像データ５１ｂの表示を行うことができる。
【００３７】
なお、上記の実施の形態においては、表示態様変更部４４は、回転の角度が４５度以上となれば、画像データ５１ｂの縦横の向きを変更して表示するよう構成してもよい。こうすることにより、よりユーザーの視認性を向上させることができる。
【００３８】
また、上記の実施の形態において、仮想線表示部４３は、矩形状の画像データ５１ｂのうち、右上の角から左下の角に向かって延びるように仮想線５３ａを表示するようにしてもよい。もちろん、仮想線５３ａについて、二つの対角線方向に延びる二つの仮想線５３ａを表示するようにしてもよい。
【００３９】
なお、上記の実施の形態においては、仮想線消去部４５は、仮想線５３ａ以外の領域の押下を検知すれば、仮想線５３ａの表示を消去することとしたが、これに限らず、例えば、所定の時間以上、タッチパネル２１の押下の検知がなければ、仮想線５３ａの表示を消去することにしてもよい。
【００４０】
また、上記の実施の形態においては、仮想線５３ａは、破線であったが、これに限らず、他の線、例えば、一点鎖線や二点鎖線、明滅する線、画像データに含まれていない色で着色された線、一部が点線や一点鎖線のようなものであってもよい。
【００４１】
なお、上記の実施の形態においては、操作部１３は、制御部１２により制御されていることとしたが、これに限らず、表示装置としての操作部１３により制御されるよう構成してもよい。すなわち、操作部１３は、表示を制御する表示制御部を含み、この表示制御部により仮想線に基づく表示態様の変更を行うよう構成してもよい。
【００４２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４３】
この発明に係る表示装置、および画像処理装置は、操作性の向上が要求される場合に、特に有効に利用される。
【符号の説明】
【００４４】
１１  複合機、１２  制御部、１３  操作部、１４  画像読み取り部、１５  画像形成部、１６  ハードディスク、１７  ファクシミリ通信部、１８  ネットワークインターフェース部、２１  タッチパネル、２２  ＡＤＦ、２３  現像装置、２４  公衆回線、２５  ネットワーク、２６ａ，２６ｂ，２６ｃ  コンピューター、３１  テンキー、３２  スタートキー、３３  電源キー、３４  メニューキー、３５  登録キー、３６  リセットキー、４１  押下時間計測部、４２  判断部、４３  仮想線表示部、４４  表示態様変更部、４５  仮想線消去部、５１ａ，５１ｂ  画像データ、５２ａ，５２ｂ，５２ｃ  角、５３ａ  仮想線、５４ａ，５４ｂ  位置、５５  部分。
【図１】
0006354696.tif 000002
【図２】
0006354696.tif 000003
【図３】
0006354696.tif 000004
【図４】
0006354696.tif 000005
【図５】
0006354696.tif 000006
【図６】
0006354696.tif 000007
【図７】
0006354696.tif 000008
【図８】
0006354696.tif 000009
【図９】
0006354696.tif 000010
【図１０】
0006354696.tif 000011
【図１１】
0006354696.tif 000012